(57)【要約】【課題】ベッド本体収納状態での奥行き寸法が小さく、運搬・設置・移設が容易な格納式ベッドを提供する。【解決手段】前方開口状の格納箱１と、格納箱１の下部に前後方向スライド自在に設けられる底壁部材４と、格納箱１に直立状に収納されるベッド本体２と、底壁部材４に下端10ｂが枢着されると共にベッド本体２の裏面２ｄ側の長手方向中間部に上端10ａが枢着される直線伸縮弾発支持体10と、ベッド本体２の基端２ｂ側を格納箱１に水平軸心Ｌａ廻りに揺動自在に枢支する枢支軸21と、枢支軸21を上下方向にスライド自在に保持する左右一対のガイド部材25，25と、を備え、底壁部材４を前方に移動させ、直線伸縮弾発支持体10にベッド本体２の揺動降下荷重を受けさせつつ、ベッド本体２の基端２ｂ側をガイド部材25，25に沿って上昇させて、ベッド本体２を水平展開状態とするように構成している。【選択図】図１
2011062397.tif 000002
【特許請求の範囲】
【請求項１】
前方開口状の格納箱（１）と、該格納箱（１）の下部に前後方向スライド自在に設けられる底壁部材（４）と、該格納箱（１）に直立状に収納されるベッド本体（２）と、上記底壁部材（４）に下端（10ｂ）が枢着されると共に上記ベッド本体（２）の裏面（２ｄ）側の長手方向中間部に上端（10ａ）が枢着される直線伸縮弾発支持体（10）と、上記ベッド本体（２）の基端（２ｂ）側を上記格納箱（１）に水平軸心（Ｌａ）廻りに揺動自在に枢支する枢支軸（21）と、該枢支軸（21）を上下方向にスライド自在に保持する左右一対のガイド部材（25）（25）と、を備え、
上記底壁部材（４）を前方に移動させ、上記直線伸縮弾発支持体（10）に上記ベッド本体（２）の揺動降下荷重を受けさせつつ、上記ベッド本体（２）の上記基端（２ｂ）側を上記ガイド部材（25）（25）に沿って上昇させて、上記ベッド本体（２）を水平展開状態とするように構成したことを特徴とする格納式ベッド。
【請求項２】
上記直線伸縮弾発支持体（10）内に、線径が相違する複数種類のコイルバネ（12）（13）（14）を直列に配設した請求項１記載の格納式ベッド。
【請求項３】
上記格納箱（１）に、水平状の枢着軸心（Ｌｂ）廻りに揺動自在に略門型の物干し部材（３）を付設し、
上記物干し部材（３）を、該物干し部材（３）の先端竿部（30）が水平展開状態の上記ベッド本体（２）の表て面（２ｃ）側の長手方向中間部に接近するように設けた請求項１又は２記載の格納式ベッド。
【発明の詳細な説明】
【技術分野】
【０００１】
本発明は、格納式ベッドに関する。
【背景技術】
【０００２】
従来、格納式ベッドは、前方に開口した格納箱と、その格納箱に枢着されるベッド本体と、を備え、ベッド本体を使用しない場合は、ベッド本体を揺動させて格納箱に直立状に収納し、ベッド本体を使用する場合は、格納箱に収納されたベッド本体を揺動させて水平展開状態にするものがある（例えば、特許文献１参照）。
【先行技術文献】
【特許文献】
【０００３】
【特許文献１】実開昭４８−９９３０８号公報
【発明の概要】
【発明が解決しようとする課題】
【０００４】
しかし、ベッド本体を揺動させて水平展開状態とする際に、格納箱が共倒れする虞れがあるため、格納箱を重く又は奥行き寸法を大きくしなければならないという問題があった。或いは、格納箱を部屋の壁等の建造物に固設しなければならず設置に多大な労力と時間が必要になるうえ、移設が困難であるという問題があった。
【０００５】
そこで、本発明は、ベッド本体収納状態での奥行き寸法が小さく、運搬・設置・移設が容易な格納式ベッドの提供を目的とする。
【課題を解決するための手段】
【０００６】
上記目的を達成するために、本発明の格納式ベッドは、前方開口状の格納箱と、該格納箱の下部に前後方向スライド自在に設けられる底壁部材と、該格納箱に直立状に収納されるベッド本体と、上記底壁部材に下端が枢着されると共に上記ベッド本体の裏面側の長手方向中間部に上端が枢着される直線伸縮弾発支持体と、上記ベッド本体の基端側を上記格納箱に水平軸心廻りに揺動自在に枢支する枢支軸と、該枢支軸を上下方向にスライド自在に保持する左右一対のガイド部材と、を備え、上記底壁部材を前方に移動させ、上記直線伸縮弾発支持体に上記ベッド本体の揺動降下荷重を受けさせつつ、上記ベッド本体の上記基端側を上記ガイド部材に沿って上昇させて、上記ベッド本体を水平展開状態とするように構成したものである。
また、上記直線伸縮弾発支持体内に、線径が相違する複数種類のコイルバネを直列に配設したものである。
また、上記格納箱に、水平状の枢着軸心廻りに揺動自在に略門型の物干し部材を付設し、上記物干し部材を、該物干し部材の先端竿部が水平展開状態の上記ベッド本体の表て面側の長手方向中間部に接近するように設けたものである。
【発明の効果】
【０００７】
本発明の格納式ベッドによれば、ベッド本体を揺動する際に、格納箱の共倒れを防止できる。また、格納箱の共倒れを防止可能としながらも、ベッド本体収納状態での設置面積を小さくでき、部屋を広く使用することができる。軽量かつ薄型に形成でき、運搬・設置を容易かつ迅速に行うことができる。格納箱を建造物等に固設しなくても共倒れを防止でき、容易かつ迅速に設置・移設できる。また、ベッド本体の揺動を容易かつスムーズにおこなうことができる。
【図面の簡単な説明】
【０００８】
【図１】本発明の実施の一形態を示す側面断面図である。
【図２】作用を説明する側面断面図である。
【図３】作用を説明する側面断面図である。
【図４】作用を説明する側面断面図である。
【図５】作用を説明する側面断面図である。
【図６】作用を説明する側面断面図である。
【図７】図５の要部平面断面図である。
【図８】直線伸縮弾発支持体の一例を示す側面図である。
【発明を実施するための形態】
【０００９】
以下、図示の実施の形態に基づき本発明を詳説する。
本発明の格納式ベッドは、上前方開口状の格納箱１と、格納箱１に直立状に収納された直立収納状態から水平状に展開された水平展開状態に揺動するベッド本体２と、を備えている。
【００１０】
格納箱１は、上壁部材１ａと下壁部材１ｂと後壁部材１ｃと左右一対の側壁部材１ｄ，１ｄとを有し、略直方体型に形成されている。格納箱１の下部（下壁部材１ｂの上）には、前後方向にスライド自在な底壁部材４と、底壁部材４を前方へ常時弾発付勢する圧縮コイルバネから成る底壁用バネ部材40と、底壁部材４を前後方向にガイドする左右一対のレール部材41と、が付設されている。底壁部材４は、前方側下部に左右一対の車輪42を有し、下面にレール部材41が差し込まれる摺接用の凹溝４ａを有している（図７参照）。
【００１１】
ベッド本体２は、表て面２ｃ側に人が寝るためのマット部27と、裏面２ｄ側にマット部27を支持する板状の基台部材28と、マット部27の基端面（直立収納状態においてマット部27の下面）を支持する板状の基端保持部材29と、を有している。また、裏面２ｄ側で、基台部材28に、水平展開状態でベッド本体２の先端２ａ側を支持する板状の支持脚部材24と、支持脚部材24の設置姿勢を保持する脚支持部材23と、を枢着している。
【００１２】
直立収納姿勢のベッド本体２は、上壁部材１ａと後壁部材１ｃと左右の側壁部材１ｄ，１ｄと底壁部材４とに囲まれた前方開口状の収納空間５に収納される。ベッド本体２の裏面２ｄは、格納箱１の前方開口部に施蓋状に配設される。
【００１３】
ベッド本体２の基端２ｂ側は、格納箱１に水平軸心Ｌａ廻りに揺動自在に枢支軸21によって枢支されている。枢支軸21は、格納箱１の左右の側壁部材１ｄ，１ｄに夫々鉛直状に固着された角筒状の左右一対ガイド部材25，25に保持されている。
【００１４】
ガイド部材25，25は、夫々、左右内方に開口し、かつ、上下方向に長いガイド長孔25ａを有している。側壁部材１ｄの内面（収納空間５側の面）側に、左右外方に窪んだ凹部（図７参照）に嵌合され、収納空間５に突出しないように固着されている。
枢支軸21の左右端部が、左右のガイド部材25のガイド長孔25ａに差し込まれることで、ベッド本体２を水平軸心Ｌａ廻りに揺動自在に枢支すると共にベッド本体２の基端２ｂ側をガイド長孔25ａに沿って上下方向に移動自在としている。
【００１５】
また、ガイド部材25の内部には、枢支軸21の上方位置に、押しブロック部材を介して枢支軸21を下方へ常時弾発付勢する圧縮コイルバネから成る軸用バネ部材26を設けている。
また、枢支軸21とガイド部材25やベッド本体２の基端２ｂ近傍に、水平展開状態のベッド本体２の基端２ｂ側の上下方向の移動を規制する上下規制手段を設けるのが望ましい。
【００１６】
また、直立収納状態（図１参照）において、底壁部材４が底壁用バネ部材40によって前方へ移動するのを阻止し、ベッド本体２の揺動開始時（図２参照）において、前方移動阻止を解除する前後規制手段50を設けている。
前後規制手段50は、底壁部材４に設けられ直立収納状態のベッド本体２の基端２ｂ側と係合する係止凸部50ａと、ベッド本体２の基端２ｂ側に設けられると共に係止凸部50ａに係合する係合凹部50ｂと、から成る。係止凸部50ａは、底壁部材４に水平状取付軸心廻りに回転自在に付設されたローラ部材である。係止凹部50ｂは基端保持部材29にローラ部材の外周面に沿った凹曲状に形成されている。
【００１７】
また、底壁部材４とベッド本体２を連結する直線伸縮弾発支持体10を備えている。以下、直線伸縮弾発支持体10を伸縮支持体10と呼ぶ場合もある。伸縮支持体10は、上端10ａがベッド本体２の裏面２ｄ側の長手方向中間部に枢着され、下端10ｂが底壁部材４の前方上面側に枢着されている。伸縮支持体10は図７に示すように左右一対に配設される。
【００１８】
図８に於て、伸縮支持体10は、上端10ａ側に配設される先端筒部材７と、先端筒部材７に伸縮自在に差し込まれる中間筒部材８と、下端10ｂ側に配設され中間筒部材８に伸縮自在に差し込まれると基端筒部材９と、を備えている。また、先端筒部材７は、上端10ａ側に、ベッド本体２に枢着するための上端取付部材が施蓋状に固着され、上壁部19が形成されている。また、基端筒部材９は、下端10ｂ側に、底壁部材４に枢着するための下端取付部材が施蓋状に固着され下壁部18が形成されている。
【００１９】
そして、３つの筒部材７，８，９の内部（伸縮支持体10の内部）に、バネ定数の異なる複数種類のコイルバネ12，13，14を上端10ａから下端10ｂに向かって直列に配設している。具体的に説明すると、３種類のコイルバネ12，13，14は、上端10ａ側に配設されると共に３種類の内で線径が最も太い強コイルバネ14、下端10ｂ側に配設されると共に３種類の内で線径が最も細い弱コイルバネ12、強コイルバネ14と弱コイルバネ12の間に配設されると共に強コイルバネ14と弱コイルバネ12の中間の大きさの線径を有する中コイルバネ13、である。「強」「中」「弱」とは、３種類のコイルバネ12，13，14を相互に比較して、短縮させるのに必要な荷重の強さ（重さ）を示している。
【００２０】
また、伸縮支持体10の内部に、３つのストッパー部材15，16，17を直列に配設している。ストッパー部材15，16，17は、側面視Ｔ字状に形成され、外鍔部を有する頭部と、頭部から下方に突出する棒状の脚部を有している。３つのストッパー部材15，16，17とは、頭部が強コイルバネ14の上部に係止されると共に脚部が強コイルバネ14に差し込まれる強用ストッパー部材17と、頭部が強コイルバネ14の下部に当接すると共に中コイルバネ13の上部に係止され脚部が中コイルバネ13に差し込まれる中用ストッパー部材16と、頭部が中コイルバネ13の下部に当接すると共に弱コイルバネ12の上部に係止され脚部が弱コイルバネ12に差し込まれる弱用ストッパー部材15と、である。
【００２１】
また、伸縮支持体10は、ベッド本体２の直立収納状態（図１参照）において直立状に配設される。また、前後規制手段50が解除され底壁部材４が前方に移動した後の状態（図２に示すようなベッド本体２の揺動開始時）において、バネなし空間部11が形成されるように傾斜状に配設される。ばねなし空間部11は、図８に示すように、伸縮支持体10の上壁部19と強用ストッパー部材17の間に形成される。
【００２２】
また、ベッド本体２の直立収納状態（図１参照）において、ベッド本体２よりも後方位置に、水平状の枢着軸心Ｌｂ廻りに揺動自在に枢着される略門型の物干し部材３を付設している。物干し部材３は、収納空間５内で、直立収納状態のベッド本体２と後壁部材１ｃの間に直立状姿勢で収納されている。
物干し部材３は、格納箱１に基端31ｂが枢着される左右一対の支柱部材31と、左右の支柱部材31の先端31ａに枢着軸心Ｌｂと平行に配設される棒状の先端竿部30と、を有している。また、物干し部材３は、引っ張りバネから成る引込用バネ部材32によって収納空間５の後方側に常時弾発付勢されている。
【００２３】
また、物干し部材３は、ベッド本体２の水平展開状態において、図６に破線で示すように、格納箱１内に収納された直立状姿勢から水平傾倒状姿勢まで揺動自在に設けられている。水平傾倒状姿勢で、先端竿部30が水平展開状態のベッド本体２の表て面２ｃ側の長手方向中間部に接近乃至当接するように設けている。また、物干し部材３を所定傾倒角度θで固定可能な揺動固定手段35を備えている。
【００２４】
図５に示すように、揺動固定手段35は、支柱部材31から左右外方に突出・収納自在に設けられるロックピン35ａと、左右の側壁部材１ｄ，１ｄに設けられると共にロックピン35ａが抜き挿しされるロック用孔35ｂから成る。
【００２５】
なお、本発明に於て、「前」とは格納箱１からベッド本体２が揺動によって水平状に展開する方向である。「右」とは、使用者が、格納箱１に収容されたベッド本体２の裏面２ｄに向かって立っている場合に、その使用者の右手がある側を言う。「表て」とは、ベッド本体２において、使用者が寝る側を言う。物干し部材３の「傾倒角度」とは、側面視で、水平展開状のベッド本体２の表て面２ｃと支柱部材31の間の角度である。
【００２６】
本発明は設計変更可能であって、格納箱１の下壁部材１ｂは省略しても良い。また、伸縮支持体10は線径が相違する４種類以上のコイルバネを内設しても良い。
【００２７】
上述した本発明の格納式ベッドの使用方法（作用）について説明する。
図１に示す直立収納状態のベッド本体２を前方に展開揺動させる。図２に示すように、
ベッド本体２の基端２ｂ側が底壁部材４から離間し、係止凹50ｂから係止凸50ａが外れ、前後規制手段50が解除状態となる。底壁部材４は、底壁用バネ部材40によって前方に押し出される。
【００２８】
底壁部材４の前方移動により、格納箱１を支持する前後設置部分（土台部分）が前方に延長されて、共倒れを防止するのに十分な前後設置長さ寸法Ｓとなり、土台部分の面積も前方に広くなって安定し、ベッド本体２の前方揺動に伴う格納箱１の共倒れを防止する。また、直立状であった伸縮支持体10を伸長させベッド本体２の裏面２ｄ側を方杖状に支持する傾斜状に配設し、伸縮支持体10の内部にバネなし空間部11を形成させる。
【００２９】
そして、図２乃至図５に順次示すように、ベッド本体２の前方への揺動に伴って、枢支軸21がガイド部材25に沿って上昇し、ベッド本体２の基端２ｂ側を上昇させる。また、軸用バネ部材26により、ベッド本体２の基端２ｂ側が急に跳ね上がるのを防止してスムーズに上昇させる。ベッド本体２は、予め突出させていた支持脚部材24を床面等の設置面に当接させて水平展開状態となる。
【００３０】
この図２乃至図５に示したベッド本体２の揺動中において、図８に示す伸縮支持体10は、ベッド本体２の揺動降下荷重によって、先ず、上壁部19が強用ストッパー部材17の頭部に当接するように短縮しバネなし空間11がなくなる。その後、弱用ストッパー部材15の脚部が下壁部18に当接するまで、弱コイルバネ12が短縮する。次に、弱用ストッパー部15の頭部に中用ストッパー部材16の脚部が当接するまで、中コイルバネ13が短縮する。次に、ベッド本体２が水平展開状態となるまで、強コイルバネ14が短縮する。又は、中用ストッパー部材16の頭部に強用ストッパー部材17の脚部が当接することで、ベッド本体２が水平展開状態となる。
各コイルバネ12，13，14が揺動降下荷重に応じて順次短縮することで、伸縮支持体10は、先端筒部材７に中間筒部材８が収納されると共に中間筒部材８に基端筒部材９が収納されて短縮する。
【００３１】
ここで、ベッド本体２は、直立収納状態では重心は格納箱１側寄りであり、水平展開状態になるにつれて前方へ移動する。つまり、伸縮支持体10のかかる揺動降下荷重は揺動開始時は小さく、その後、次第に大きくなる。伸縮支持体10にかかる揺動降下荷重が小さい時は、バネなし空間部11の空気や、弱コイルバネ12が荷重を受けて短縮し、その後、中コイルバネ13が荷重を受けて短縮し、荷重が大きくなると強コイルバネ14が短縮するように順次切り換わるので、伸縮支持体10の短縮の遅延（遅い短縮）や急な短縮（速い短縮）を防止し、ベッド本体２をスムーズに揺動させる。例えば、強コイルバネ14だけを用いると、荷重が小さい時に短縮しにくく、揺動に時間がかかる。弱コイルバネ12だけを用いると、荷重が大きくなった際に、急に短縮して危険である。
【００３２】
また、図２乃至図５に示すように、伸縮支持体10の上端10ｂは、下端10ｂを中心として、円弧状に後方から前方へ移動すると共に円弧の半径を次第に小さく（下端10ｂとの距離を次第に短く）しながら揺動する。上端10ａがこのような揺動軌跡となるように配設することで、揺動に伴うベッド本体２の重心の移動に対応しつつ荷重を受けてベッド本体２をスムーズに水平展開状態にする。また、ベッド本体２を直立収納状態とする場合も重心の移動に対応してスムーズに揺動させる。
【００３３】
そして、ベッド本体２が水平展開状態となった後に、図６に示すように、物干し部材３を前方へ揺動させる。水平展開状態のベッド本体２の表て面２ｃの長手方向中間部に先端竿部30が接近する。ここで、先端竿部30には、予め、ベッド本体２に対応する掛け布団等の布団部材Ｈが、人体と接触する内面側を露出するように折り返して架けられている。なお、図６に破線で図示した物干し部材３に架けられる布団部材Ｈは図示省略する。また、図１乃至図５は布団部材Ｈを図示省略している。
【００３４】
物干し部材３が水平傾倒状姿勢となると、水平展開状態のベッド本体２の基端２ｂ側で、布団部材Ｈの内面とベッド本体２の表て面２ｃが対面状に配設される。使用者が折り返されている布団部材Ｈを展開すると、ベッド本体２の先端２ａ側で、布団部材Ｈの内面とベッド本体２の表て面２ｃが対面状に配設され、ベッド本体２に適切に布団部材Ｈが掛けられる。その後、物干し部材３は、後方へ揺動され格納箱１内に収納される。
【００３５】
また、ベッド本体２の使用後は、先端竿部30をベッド本体２に接近させ、使用者が、ベッド本体２上の布団部材Ｈの内、ベッド本体２の先端２ａ側に対応する部分を、先端竿部30を包むように折り返した後、物干し部材３を揺動させれば、布団部材Ｈは物干し部材３に架けられた状態で格納箱１に回収（収納）される。また、物干し部材３に布団部材Ｈが架けられている際に、ロックピン35ａがロック用孔35ｂに差し込まれると、物干し部材３は、所定傾倒角度θで固定され、布団干しがおこなえる。
【００３６】
また、展開したベッド本体２を格納箱１に収納する際に、底壁部材４を後方へスライドさせ、伸縮支持体10を図２に示す傾斜状から図１に示す直立状に短縮させる必要がある。ここで、伸縮支持体10は、ベッド本体２が直立状になるにつれて、バネなし空間部11が形成される。伸縮支持体10を直線状に短縮させるためには、伸縮支持体10内のコイルバネ12，13，14を短縮させず、バネなし空間部11を短縮させるだけで良いので、容易に伸縮支持体10を傾斜状から直立状でき、僅かな力で底壁部材４は格納箱１の下部に収納される。係止凹部50ｂに係止凸部50ａが嵌まり込んで底壁部材４の前方への移動が阻止される。
【００３７】
以上のように、本発明の格納式ベッドは、前方開口状の格納箱１と、格納箱１の下部に前後方向スライド自在に設けられる底壁部材４と、格納箱１に直立状に収納されるベッド本体２と、底壁部材４に下端10ｂが枢着されると共にベッド本体２の裏面２ｄ側の長手方向中間部に上端10ａが枢着される直線伸縮弾発支持体10と、ベッド本体２の基端２ｂ側を格納箱１に水平軸心Ｌａ廻りに揺動自在に枢支する枢支軸21と、枢支軸21を上下方向にスライド自在に保持する左右一対のガイド部材25，25と、を備え、底壁部材４を前方に移動させ、直線伸縮弾発支持体10にベッド本体２の揺動降下荷重を受けさせつつ、ベッド本体２の基端２ｂ側をガイド部材25，25に沿って上昇させて、ベッド本体２を水平展開状態とするように構成したので、ベッド本体２を揺動させる際は、前後設置長さを延長でき、土台部分を広くして格納箱１を安定させることができる。言い換えると、ベッド本体収納状態の際は、共倒れを防止するのに必要な前後設置長さ寸法Ｓの略半分（60％以下）の奥行き（前後）寸法で設置でき、部屋を広く使用することができる。格納箱１の共倒れを防止可能としながらも、全体を軽量かつ薄型でコンパクトに形成でき、運搬・設置・移設を容易かつ迅速に行うことができる。格納箱１を建造物に固着するような工事が不必要のため、タンス等の家具のように賃貸住宅、マンション、オフィス、等に容易かつ迅速に設置又は移設できる。また、ホテル等宿泊施設のエキストラベッド（追加・臨時ベッド）として好適である。また、ベッド本体２の揺動を容易かつスムーズにおこなうことができる。
【００３８】
また、直線伸縮弾発支持体10内に、線径が相違する複数種類のコイルバネ12，13，14を直列に配設したので、ベッド本体２の展開揺動に伴う揺動降下荷重の変化に応じて各コイルバネ12，13，14を短縮させることができ、急な揺動速度変化がなくスムーズに安定してベッド本体２を水平展開状態にすることができる。また、ベッド本体２を格納する際もベッド本体２の揺動に伴う揺動降下荷重の変化に応じて各コイルバネ12，13，14を伸長させて、ベッド本体２をスムーズに直立収納状態とすることができる。
【００３９】
また、格納箱１に、水平状の枢着軸心Ｌｂ廻りに揺動自在に略門型の物干し部材３を付設し、物干し部材３を、物干し部材３の先端竿部30が水平展開状態のベッド本体２の表て面２ｃ側の長手方向中間部に接近するように設けたので、掛け布団等の布団部材Ｈを別途押入れに収納する必要がなく、ベッド本体２と共に格納箱１に格納できる。容易に布団部材Ｈをベッド本体２上に敷いたり、ベッド本体２から回収できる。布団部材Ｈをベランダ等へ運搬することなく容易かつ迅速に布団干しをおこなうことができる。
【符号の説明】
【００４０】
１  格納箱
２  ベッド本体
２ｂ  基端
２ｃ  表て面
２ｄ  裏面
３  物干し部材
４  底壁部材
10  直線伸縮弾発支持体
10ａ  上端
10ｂ  下端
12  （弱）コイルバネ
13  （中）コイルバネ
14  （強）コイルバネ  
21    枢支軸
25  ガイド部材
30  先端竿部
Ｌａ  水平軸心
Ｌｂ  枢着軸心
【図１】
2011062397.tif 000003
【図２】
2011062397.tif 000004
【図３】
2011062397.tif 000005
【図４】
2011062397.tif 000006
【図５】
2011062397.tif 000007
【図６】
2011062397.tif 000008
【図７】
2011062397.tif 000009
【図８】
2011062397.tif 000010